(57)【要約】      （修正有）【課題】水中で、潜水者の視線での撮影と画像を目視で確認しながらの撮影の双方を可能とする水中カメラ取付構造を提供する。【解決手段】本考案に係る水中カメラ取付構造では、カメラ保持部から延出する係止部１が、潜水用マスク４に固定された受容部２と着脱自在に連結される。前記係止部は可撓性を有する係止片１３を有するものであってもよい。また、前記受容部は筒材で構成され前記潜水用マスクの透光面４１と直交する方向に開口するものであってもよい。そして、前記係止片が、前記受容部に挿通され、端部が前記受容部から突出した状態において前記受容部の開口周辺に係合するとともに、外力の作用で撓んだ状態において前記開口周辺との係合が解除され、前記受容部から抜き出すことが可能となるものであってもよい。【選択図】図１
0003186274.tif 000002
【実用新案登録請求の範囲】
【請求項１】
水中カメラを保持するカメラ保持部から延出する係止部が、潜水用マスクに固定された受容部と着脱自在に連結されることを特徴とする水中カメラ取付構造。
【請求項２】
前記係止部は可撓性を有する係止片を有し、前記受容部は筒材で構成され前記潜水用マスクの透光面と直交する方向に開口し、前記係止片は、前記受容部に挿通され、端部が前記受容部から突出した状態において前記受容部の開口周辺に係合するとともに、外力の作用で撓んだ状態において前記開口周辺との係合が解除され、前記受容部から抜き出すことが可能となる請求項１に記載の水中カメラ取付構造。
【考案の詳細な説明】
【技術分野】
【０００１】
本考案は、水中での撮影に使用する水密小型カメラ（以下、水中カメラという）を潜水用マスクに取り付けるための水中カメラ取付構造に関する。
【背景技術】
【０００２】
近年、デジタルカメラの普及により撮影できる画像の数が増えたことから、撮影画像の完成度等を考慮することなく、手軽に、様々な手法での撮影が試みられている。例えば、実開平６−８７９４９号公報には、三脚を使用せずに自分自身を撮影することを可能とした手持ち式補助具が開示されている。
【先行技術文献】
【特許文献】
【０００３】
【特許文献１】実開平６−８７９４９号公報
【考案の概要】
【考案が解決しようとする課題】
【０００４】
また、デジタルカメラの普及は、撮影環境の拡大につながっており、様々な環境での撮影も試みられている。そして、近年では、デジタルカメラを水中に持ち込む技術が普及し、潜水撮影を本来の業務としていない者であっても、水中カメラをヘッドバンドや潜水用マスクに取り付け、自らの視線で撮影する手法が試みられるようになった。
【０００５】
しかしながら、水中カメラをヘッドバンドや潜水用マスクに固定すると、潜水者が画像を目視で確認しながら構図を定めて撮影することができなくなるという問題があった。
【０００６】
そこで、本考案は、水中で、潜水者の視線での撮影と画像を目視で確認しながらの撮影の双方を可能とする水中カメラ取付構造を提供することを目的とする。
【課題を解決するための手段】
【０００７】
本考案に係る水中カメラ取付構造では、水中カメラを保持するカメラ保持部から延出する係止部が、潜水用マスクに固定された受容部と着脱自在に連結される。
【０００８】
前記係止部は可撓性を有する係止片を有するものであってもよい。また、前記受容部は筒材で構成され前記潜水用マスクの透光面と直交する方向に開口するものであってもよい。そして、前記係止片が、前記受容部に挿通され、端部が前記受容部から突出した状態において前記受容部の開口周辺に係合するとともに、外力の作用で撓んだ状態において前記開口周辺との係合が解除され、前記受容部から抜き出すことが可能となるものであってもよい。
【考案の効果】
【０００９】
本考案に係る水中カメラ取付構造によれば、水中カメラを保持するカメラ保持部が、係止部と受容部を介し、潜水用マスクに着脱自在に取付けることができる。従って、カメラ保持部に取り付けた水中カメラは、所望のタイミングで、潜水用マスクに対し着脱することが可能となる。すなわち、水中で、潜水者の視線での撮影と画像を目視で確認しながらの撮影の双方が可能となる。
【００１０】
潜水者は、常態では水中カメラを潜水用マスクに取り付けて撮影を行うことができるが、この撮影は、潜水者のアクション、例えば、海豚などの海洋ほ乳類の動きなどを活動的に撮影する場合に適している。一方、動かない生物、あるいは、小さな生物などを対象とする場合は、水中で水中カメラを潜水用マスクから取り外して、丁寧に撮影することができる。また、自分のチームの他の潜水者の動向などを記録する場合には、水中カメラを潜水用マスクに取り付けた状態で連続記録を続けることができる。このような連続記録は、不測の事態が発生した場合における、再発防止のための有効な資料となる。
【００１１】
係止部は可撓性を有する係止片を有するものであってもよい。また、受容部は筒材で構成され潜水用マスクの透光面と直交する方向に開口するものであってもよい。ただし、係止部と受容部の構造に制限はなく、水密の箱体を潜水用マスクに着脱自在に取付けることが可能なものであれば、使用状況やカメラの形状に応じて、公知の形状を適宜使用することができる。
【図面の簡単な説明】
【００１２】
【図１】本考案に係る水中カメラ取付構造の実施形態を示し、カメラ保持部が潜水用マスクに取り付けられた状態の斜視図である。
【図２】カメラ保持部が潜水用マスクから取り外された状態の斜視図である。
【図３】同実施形態の分解斜視図である。
【図４】係止部と受容部の係合状態を示す斜視図である。
【考案を実施するための形態】
【００１３】
図１〜４を参照しながら、本考案に係る取付構造の実施形態を説明する。なお、これによって本考案が限定されるものではない。
【００１４】
この取付構造は、カメラ保持部３から延出する係止部１を、潜水用マスク４に固定された受容部２に着脱自在に組み付けることにより、カメラ保持部３を潜水用マスク４に対し着脱自在に取り付けるものである。
【００１５】
カメラ保持部３は、プラスチック製の箱体で、内部にカメラを収容するための空間を有している。壁部の一部には外部から内部に光を通す透光窓３１が形成され、この透光窓３１を通して、内部に配置されたカメラに対する採光がなされるものとなっている。また、透光窓３３１が設けられた壁部（以下、正面壁部３２とする）の向い側に位置する壁部は取り除かれ、開口が形成されている。そして、この開口を通して、内部にカメラを配置するものとなっている。
【００１６】
更に、カメラ保持部３は、下側に配置される壁部（以下、底壁部３７とする）に、壁面から直立して平行する２枚の連接片（以下、箱体側連接片３８とする）を有している。一方、係止部１は平行する３枚の連接片（以下、係止部側連接片１１とする）を有し、箱体側連接片３８を係止部側連接片１１の間に差込むものとなっている。また、箱型側連接片３８と係止部側連接片１１の双方には、厚み方向に貫通する孔が設けられており、これらの孔に通した支軸５を介し、係止部１とカメラ保持部３のなす角度を調整しながら固定できるものとなっている。
【００１７】
係止部１は、プラスチックの板材で形成された係止本体１２に、表面から直立して平行する前記係止部側連接片１１の３枚が設けられている。係止本体１２は、長手方向に伸びる２本のスリットで３つの片部に分割されており、中央片が、受容部２と係止する係止片１３をなしている。なお、係止片１３の両側の片部は、受容部２への挿入操作を円滑にするための挿入補助片１４をなし、これら挿入補助片１４の先端は尖った形状となっている。
【００１８】
係止片１３は、挿入補助片１４よりも長く、その端部は係止本体１２の長さ方向に突出している。また、端部から所定長さの位置に、係止片１３の幅方向に伸びる突条１５が形成されている。なお、係止片１３の端部は、係止片１３を撓ませるための力を容易に加えることができるよう、面積が拡張されている。
【００１９】
受容部２はプラスチックの筒材で構成され、潜水用マスク４の透光面４１と直交する方向に開口する向きで、潜水用マスク４の上側に配置される縁面に接着固定されている。また、背面には、上面から高さ方向の途中に至る切欠き２１が形成されている。そして、係止部１の係止片１３を受容部２の中に通すと、その端部が受容部２から突出するとともに、突条１５が、切欠き２１における開口周辺に係合し、図４に示す状態となる。この状態では、係止部１の受容部２からの脱落が阻止される。すなわち、図２に示すように、カメラ保持部３が潜水用マスク４に取り付けられたことになる。
【００２０】
また、係止片１３の突条１５が受容部２の開口周辺に係合した状態において、図４の白抜き矢線で示すように、係止片１３の端部に押し下げる力を加えると、その押下力の作用で係止片１３が撓み、突条１５と受容部２の開口周辺との係合状態が解除される。そして、係止部１を受容部２から抜き出すことが可能となる。すなわち、図１に示すように、カメラ保持部３を潜水用マスク４から取り外すことが可能となる。
【００２１】
なお、受容部２を潜水用マスク４に対し固定する手法に制限はなく、使用状況や製造状況に応じて適した手法を採用すればよい。例えば、受容部２の底面と、潜水用マスク４の双方に、既述の係止部側連接片１１及び箱体側連接片３８と同様の連接片を設け、それらを支軸で固定してもよい。
【００２２】
また、カメラ保持部３が水中カメラを保持する手法に制限はなく、使用する水中カメラの型式に応じて適宜の形状とすればよい。例えば、図１〜３に示すカメラ保持部３の透光窓３１を貫通孔とした形状としてもよい。この場合、レンズ部分が本体から突き出した形状の水中カメラを、背面から嵌め込み、レンズ部分を貫通孔に挿通した状態で保持することができる。
【符号の説明】
【００２３】
１    係止部
２    受容部
３    カメラ保持部
４    潜水用マスク
５    支軸
１１  係止部側連接片
１２  係止本体
１３  係止片
１４  挿入補助片
１５  突条
２１  切欠き
３１  透光窓
３２  正面壁部
３７  底壁部
３８  箱体側連接片
４１  透光面
【図１】
0003186274.tif 000003
【図２】
0003186274.tif 000004
【図３】
0003186274.tif 000005
【図４】
0003186274.tif 000006